(57)【特許請求の範囲】
【請求項１】
複数の端子（６）が横並びで装着された絶縁ハウジング（１）と、絶縁ハウジング（１）に組み付けられたシェルカバー（２）とを備え、カード受入部分(１７)にカード（Ｃ）が挿抜可能とされたコネクタであって、カード受入部分(１７)の一側にカード（Ｃ）の挿抜に従って、挿抜方向で進退するハートカムブロック（２３）が設置され、このハートカムブロック（２３）を介してプッシュ／プッシュ形式のカード排出機構が構成されているカード用コネクタにおいて、
前記ハートカムブロック（２３）は、絶縁性プラスチックの一体成形品でなり、外面にプッシュ／プッシュ形式のカード排出機構を構成するためのカム溝(２５)が設けられた本体部分(２８)を備え、この本体部分(２８)は後端部内面にカード（Ｃ）の先端部一側と対向するカード突き当て部(３３)を一体に備え、前端部内面にカード（Ｃ）の側壁中間部に設けられる凹部(４５)に係合する係合用突部(３４)を一体に備え、
前記カード突き当て部(３３)と前記係合用突部(３４)が、それぞれ前記カード受入部分(１７)に突出するようにされていると共に、
カード（Ｃ）の挿抜に従って進退するハートカムブロックは、カード（Ｃ）をカード受入部分(１７)に挿入した時、前記係合用突部(３４)がカード受入部分(１７)に突出してカード（Ｃ）の凹部(４５)に納まってカード（Ｃ）に係合し、
かつ、カード（Ｃ）の挿抜に従って進退するハートカムブロックは、カード（Ｃ）の抜き出し位置に対応する前進位置において、ハートカムブロック（２３）の旋回によって前記係合用突部(３４)がカード（Ｃ）の側壁よりも外側に退避し、係合用突部（３４）と凹部（４５）の係合を解除できるようにしたことを特徴とするカード用コネクタ。
【請求項２】
ハートカムブロック（２３）は、ガイド手段でカード（Ｃ）と離接する方向で姿勢制御されていると共に、ばね手段（４２）によって前記係合用突部（３４）がカード（Ｃ）側の凹部（４５）に係合する方向に付勢されており、カード（Ｃ）の挿入位置に対応する後退位置で前記係合用突部（３４）がカード（Ｃ）側の凹部（４５）にばね手段（４２）の付勢によって係合する一方、カード（Ｃ）の抜き出し位置に対応する前進位置で前記係合用突部（３４）が前記ガイド手段でカード（Ｃ）の凹部（４５）から外れるようにした請求項１に記載のカード用コネクタ。
【請求項３】
ハートカムブロック（２３）は、ガイド手段でカード（Ｃ）と離接する方向で姿勢制御され、カード（Ｃ）の挿入位置に対応する後退位置で前記係合用突部（３４）がカード（Ｃ）側の凹部（４５）に係合するようにガイドされる一方、カード（Ｃ）の抜き出し位置に対応する前進位置で前記係合用突部（３４）がカード（Ｃ）の凹部（４５）から外れるようにガイドされるようにした請求項１に記載のカード用コネクタ。
【請求項４】
ガイド手段は、ハートカムブロック（２３）の上面（２９）の前後端部に形成した突部（３１ａ、３１ｂ）をシェルカバー（２）に形成したガイド溝（３９）内で進退するようにすると共に、ハートカムブロック（２３）の下面（３０）の前後端部に形成した突部（３１ａ、３１ｂ）を絶縁ハウジング（１）に形成したガイド溝（３９）内で進退するようにして構成されている請求項２または３に記載のカード用コネクタ。
【請求項５】
ガイド手段は、ハートカムブロック（２３）の上面（２９）の前後端部に形成した突部（３１ａ、３１ｂ）をシェルカバー（２）に形成したガイド溝（３９）内で進退するようにすると共に、ハートカムブロック（２３）の下面（３０）を絶縁ハウジング（１）にハートカムブロック（２３）の進退方向で形成したガイドレール（４７）に係合させて構成されている請求項２または３に記載のカード用コネクタ。
【請求項６】
前記シェルカバー(２)の本体部分（９）の一部を打ち抜いて窓孔（５２）を形成し、カード（Ｃ）挿入側に最も近い位置にある窓孔（５２）において、前記本体部分（９）をカード受入部分（１７）に垂下するように残して誤挿入のカード（Ｃ）に対するストッパタブ（５１）が形成されていることを特徴とする請求項１〜５のいずれかに記載のカード用コネクタ。
【発明の詳細な説明】
【０００１】
【発明の属する技術分野】
この発明は、カードを挿抜可能としたカード用コネクタに係り、特に、挿入したカードをロックできるようにしたカード用コネクタに関する。
【０００２】
【従来の技術】
従来、複数の端子が横並びで装着された絶縁ハウジングと、絶縁ハウジングに組み付けられたシェルカバーとを備え、カードが挿抜可能とされたコネクタであって、一側にカードの挿抜に従って、挿抜方向で進退するハートカムブロックが設置され、このハートカムブロックを介してプッシュ／プッシュ形式のカード排出機構が構成されているカード用コネクタが公知である。
【０００３】
絶縁ハウジングが、本体部分と、本体部分の両端から互いに平行となって延びる側片部分とでほぼＵ字型に形成され、本体部分に複数の端子が横並びで装着されて、端子とカード側の導電パッドとが係合するようにしている。シェルカバーは、絶縁ハウジングとほぼ同形のほぼＵ字型、あるいは、絶縁ハウジングとその側片部分間の空間を覆うほぼ方形状とされて、絶縁ハウジングに一体的に組み付けられている。
【０００４】
前記プッシュ／プッシュ形式のカード排出機構は本体部分の一側縁と一方の側片部分に沿うようにして設置されている。即ち、ハートカムブロックが側片部分の長手方向に沿って進退可能に設けられ、ハートカムブロックをカードの抜き出し方向に付勢するばねや、ハートカムブロックに形成されたカム溝に係合するピンなどが組み付けられてカード排出機構が構成されている。本体部分の他側縁と他方の側片部分には、カード検知スイッチや、ライトプロテクタスイッチなどが一般に設けられている。
【０００５】
【発明が解決しようとする課題】
前記のような構造のカード用コネクタにおいて、挿入して端子と接続状態にあるカードが意に反して抜け出さないようにするためには、カードに係合できるようにした部材を設けて、挿入されたカードに係合させる構造が考えられたが、コネクタを構成する部品点数が増すばかりでなく、コネクタ全体が大型化するなどの問題点があった。シェルカバーにカードに圧接するようなばね片を設ける試みもあったが、カードの抜き出しを完全に防止できるものではなく、手操作でカードを抜き出すことが可能で、挿入状態のカードの完全なロックができなかった。
【０００６】
この発明は斯かる問題点に鑑みてなされたもので、部品点数の増大やコネクタの大型化を招くことなく、挿入したカードを完全にロックできる構造のカード用コネクタを提供することを目的としている。
【０００７】
【課題を解決するための手段】
前記の目的のもとになされたこの発明は、プッシュ／プッシュ形式のカード排出機構を構成しているハートカムブロックに係合用突部を設けて、この係合用突部をカード側の凹部に係合させて、挿入状態をロックするようにしたものである。
【０００８】
即ちこの発明は、複数の端子が横並びで装着された絶縁ハウジングと、絶縁ハウジングに組み付けられたシェルカバーとを備え、カード受入部分にカードが挿抜可能とされたコネクタであって、カード受入部分の一側にカードの挿抜に従って、挿抜方向で進退するハートカムブロックが設置され、このハートカムブロックを介してプッシュ／プッシュ形式のカード排出機構が構成されているカード用コネクタにおいて、
前記ハートカムブロックは、絶縁性プラスチックの一体成形品でなり、外面にプッシュ／プッシュ形式のカード排出機構を構成するためのカム溝が設けられた本体部分を備え、この本体部分は後端部内面にカードの先端部一側と対向するカード突き当て部を一体に備え、前端部内面にカードの側壁中間部に設けられる凹部に係合する係合用突部を一体に備え、
前記カード突き当て部と前記係合用突部が、それぞれ前記カード受入部分に突出するようにされていると共に、
カード（Ｃ）の挿抜に従って進退するハートカムブロックは、カード（Ｃ）をカード受入部分(１７)に挿入した時、前記係合用突部(３４)がカード受入部分(１７)に突出してカード（Ｃ）の凹部(４５)に納まってカード（Ｃ）に係合し、
かつ、カードの挿抜に従って進退するハートカムブロックは、カードの抜き出し位置に対応する前進位置において、ハートカムブロックの旋回によって前記係合用突部がカードの側壁よりも外側に退避し、係合用突部と凹部の係合を解除できるようにしたことを特徴とするカード用コネクタである。
【０００９】
【作用】
上記のように構成されるこの発明のカード用コネクタによれば、ハートカムブロックに係合用突部を設けた構造であるので、ハートカムブロックに係合用突部を一体成形することで部品点数の増大を招くことがなく、しかもコネクタ全体の大型化を避けることが可能である。また、係合用突部がカード側の凹部に係合することで、カードの挿入状態を完全にロックすることが可能である。
【００１０】
【発明の実施の形態】
以下、この発明の実施形態を添付の図を参照して説明する。
【００１１】
図１乃至図５に外観を示した実施形態のカード用コネクタは、絶縁性プラスチックを成形した絶縁ハウジング１と、金属板を打ち抜き成形したシェルカバー２を備えている。絶縁ハウジング１は、本体部分３の両端からそれぞれ側片部分４、５が互いに平行となって延びて、全体としてほぼＵ字型に形成されている。本体部分３に複数の端子６が横並びで装着されて、コンタクト片７が側片部分４、５の延びる方向に片持ち梁状態で延びる一方、屈曲したテイル片８が反対側で垂下して、半田付け部分８ａが絶縁ハウジング１の底面とほぼ面一となって、取り付け基板（図示せず）に表面半田付けができるようになっている。
【００１２】
シェルカバー２も、前記の絶縁ハウジング１の上面に覆い被さるように本体部分９と側片部分１０、１１でほぼＵ字型とされて、絶縁ハウジング１に一体的に組み付けられている。側片部分１０、１１は断面が逆Ｌ字型とされて、絶縁ハウジング１の側片部分４、５の外面を覆う側壁１２、１３を含んでいる。一方の側片部分４の外面を覆う側壁１２には、図４に表れているように、側片部分４の外面に形成した突部１４に嵌る窓孔１５や、切欠き１６が形成してある。他方の側片部分５の外面を覆う側壁１３にも、図２に表れているように、側片部分５の外面に形成した突部１４に嵌る窓孔１５が形成されている。
【００１３】
絶縁ハウジング１の側片部分４、５の間がメモリーカードＣのためのカード受入部分１７とされ、ここに前方（図１において右方）より後方（図１において左方）に向ってメモリーカードＣを挿入し、また、挿入したメモリーカードＣを前方に向かって抜き出すことができるようにされている。カード受入部分１７に挿入されるメモリーカードＣは、側片部分４、５の内壁でガイドされて、端子６に向って真っ直ぐに挿入できるようにされている。
【００１４】
絶縁ハウジング１の本体部分３の一側縁と一方の側片部分４に沿って、図１に表れているように、検知スイッチ１８と、ライトプロテクタスイッチ１９が設けられている。これらのスイッチ１８、１９は、メモリーカードＣが挿入されると、メモリーカードＣの対向側壁によって外方向（図１において上方）に押し出されて、スイッチ導通用コンタクト２０との係合が離れるようにした構造である。スイッチ導通用コンタクト２０は補強金具を兼ねており、取り付け基板に表面半田付けができるようになっている。また、側片部分４の先端には、金属ネイル２１が取り付けられて、この金属ネイル２１も取り付け基板に表面半田付けができるようにされている。なお、シェルカバー２の他方の側片部分１１の先端部には、絶縁ハウジング１の側片部分５の内側に垂下する補強金具２２が連設されており、この補強金具２２も取り付け基板に表面半田付けができるようにされている。
【００１５】
絶縁ハウジング１の本体部分３の他側縁と他方の側片部分５に沿っては、ハートカムによるプッシュ／プッシュ形式のカード排出機構が設けられている。このカード排出機構は、ハートカムブロック２３と、ハートカムブロック２３と絶縁ハウジング１の間に設置されたコイルスプリングでなるばね手段２４と、ハートカムブロック２３に形成されたカム溝２５(図７参照)と係合するピン２６とで構成されている。
【００１６】
ハートカムブロック２３の構造については、この後で詳細に説明がされる。ばね手段２４は、ハートカムブロック２３を、常時、側片部分５の延びている方向、即ち、メモリーカードの抜き出し方向に付勢している。ピン２６は、断面が円形の細長い金属棒の先端に、その金属棒をほぼ直角に折曲して形成されており、ハートカムブロック２３のカム溝２５(図７参照)と係合するようにしている。金属棒の基端側もほぼ直角に折曲されてピン２６と同様の形状とされ、絶縁ハウジング１の本体部分３に係合させて、金属棒が旋回できるようにし、ピン２６がカム溝２５に追従できるようにしている。また、側片部分５の外壁を覆うようにしたシェルカバー２の側壁１３内には、ピン２６と対向するようにして押圧ばね２７が打ち抜かれている。押圧ばね２７がピン２６を常時ハートカムブロック２３側に付勢し、ピン２６とカム溝２５の係合が外れないようにしている。
【００１７】
ハートカムブロック２３は、絶縁性プラスチックの一体成形品であって、図６乃至図１０に示したような形状をしている。薄い方形板状の本体部分２８の外面にカム溝２５が設けられている。本体部分２８の上面２９の前端部と下面３０の前端部に、それぞれ、突部３１ａが設けられていると共に、上面２９の後端部と下面３０の後端部には、それぞれ、突部３１ｂが設けられている。また、本体部分２８の後端から円柱状のボス３２が突出して、前記ばね手段２４を構成するコイルスプリングの一端が嵌装できるようにしてある。本体部分２８の後端部内面にはカード突き当て部３３が設けてあり、カード受入部分１７に挿入されるメモリーカードＣの先端部一側がこのカード突き当て部３３に当たって、メモリーカードＣの挿入と共にこのハートカムブロック２３もばね手段２４の付勢力に抗して挿入方向に後退することとなるようにしている。
【００１８】
そして、本体部分２８の前端部内面にメモリーカードＣに対する係合用突部３４が設けてある。この係合用突部３４は平面で見て一つの鋸歯の形状をしており、前端側に傾斜面３５が配され、後端側に係止平面３６が配されるようにしている。
【００１９】
前記のようなハートカムブロック２３が、絶縁ハウジング１の本体部分３の側縁と側片部分５に沿って前進および後退が可能に設置されている。ハートカムブロック２３の内面が側片部分４、５間のカード受入部分１７に露出しており、カード突き当て部３３がカード受入部分１７に突出し、また、係合用突部３４もカード受入部分１７に突出できるようになっている。なお、ここではハートカムブロック２３の前進はメモリーカードＣの抜き出し方向の移動に対応し、後退はメモリーカードＣの挿入方向の移動に対応している。
【００２０】
ハートカムブロック２３は、図１５に示されているように、絶縁ハウジング１の本体部分３と側片部分５に亘って形成されているハウジング底壁３７と、シェルカバー２の本体部分９と側片部分１１に亘って形成されているシェル頂壁３８の間に挟まれるようにして配置されている。ハウジング底壁３７とシェル頂壁３８には、それぞれ、図１および図１１に表れているような特殊形状のガイド溝３９が形成されており、ハートカムブロック２３に設けた突部３１ａ、３１ｂがそれぞれこのガイド溝３９内に嵌められている。突部３１ａ、３１ｂとガイド溝３９の係合状態は図１５、１７に良く示されている。
【００２１】
特殊形状としたガイド溝３９は、図１１にも拡大して示してあるように、前端部分３９ａと後端部分３９ｂはハートカムブロック２３の突部３１ａ、３１ｂの幅とほぼ等しい溝幅とされ、前端部分３９ａが外側に偏位し、後端部分３９ｂが内側に偏位している。そして、中間部分３９ｃは前端部分３９ａの外縁と後端部分３９ｂの内縁に亘る広い溝幅を有しており、中間部分３９ｃの内縁と前端部分３９ａの内縁が傾斜縁４０で連続し、中間部分３９ｃの外縁と後端部分３９ｂの外縁が傾斜縁４１で連続するようにしている。
【００２２】
ハートカムブロック２３が前進および後退するに当たっては、ハートカムブロック２３の前端部側に設けた突部３１ａは、ガイド溝３９内で、幅広の中間部分３９ｃと前端部分３９ａの間を移動するようにされている。また、ハートカムブロック２３の後端部側に設けた突部３１ｂは、ガイド溝３９内で、幅広の中間部分３９ｃと後端部分３９ｂの間を移動するようにされている。したがって、ハートカムブロック２３が進退する時、突部３１ａ、３１ｂとガイド溝３９の係合によって、ハートカムブロック２３は図１の平面内で旋回することになる。即ち、突部３１ａ、３１ｂとガイド溝３９によってハートカムブロック２３がメモリーカードＣと離接する方向で姿勢制御されるガイド手段を構成している。
【００２３】
更に、上記のようなガイド手段で姿勢制御されているハートカムブロック２３に対して、ばね手段による付勢がされている。このばね手段は、シェルカバー２の側片部分１１に、前記押圧ばね２７と並んで打ち抜いたもう一つの押圧ばね４２(図２、１４参照)で構成している。前記の押圧ばね２７がピン２６に対向するようにしているのに対し、この押圧ばね４２は、後退したハートカム２３の前端部に対向するようにしてある。
【００２４】
図１２は、上記のように構成されたカード用コネクタにメモリーカードＣを挿入した状態を断面で表したものである。メモリーカードＣの先端部４３は、図１３に示されているように、他の部分に比べて薄くされており、その上面に導電パッド４４が設けられている。カード受入部分１７に挿入すると、端子６のコンタクト片７と導電パッド４４が係合して電気的な接続が形成されることになる。挿入したメモリーカードＣを抜き出す時は、メモリーカードＣを挿入方向に少し押し込むようにする。そうすると、ハートカムブロック２３によるプッシュ／プッシュ形式のカード排出機構が動作して、ばね手段２４の付勢力がハートカムブロック２３を介してメモリーカードＣに付与されて、メモリーカードＣは抜き出し方向に自動的に押し出されることになる。
【００２５】
上記のメモリーカードＣの外観を図示したのが図１３である。先端部４３を前方に見て左側の側壁の中間部において下部に切欠きによる凹部４５が設けられている。前記ハートカムブロック２３に設けたカード突き当て部３３と係合用突部３４は、メモリーカードＣの先端部４３の左側に形成した斜切縁４６とカード突き当て部３３が係合した時に、係合用突部３４と凹部４５が丁度対向するような位置関係にしてある。
【００２６】
以下では、メモリーカードＣを挿入および排出した時のハートカムブロック２３の動作について説明することとする。
【００２７】
図１４、１５は、メモリーカードＣを挿入した時の状態を表している。メモリーカードＣの挿入に従って、ばね手段２４の付勢力に抗して後退したハートカムブロック２３の部分が図１４ではハッチングによって示されている。ハートカムブロック２３の後端部側に設けた突部３１ｂはガイド溝３９の後端部分３９ｂに移動し、前端部側に設けた突部３１ａはガイド溝３９の中間部分３９ｃに移動する。この突部３１ａが設けられた前端部側は、シェルカバー２の側壁１３に設けた押圧ばね４２でメモリーカードＣ側に付勢されているので、突部３１ａはガイド溝３９の内縁側に位置することになる。ハートカムブロック２３の本体部分２８が絶縁ハウジング１の側片部分５とほぼ平行の状態に姿勢制御される。
【００２８】
本体部分２８の前端部内側に突出させて設けた係合用突部３４はカード受入部分１７に突出することとなり、メモリーカードＣの側壁の対応部分に形成した凹部４５に納まることになる。したがって、係合用突部３４の係止平面３６と凹部４５の一側壁が係止して、メモリーカードＣは挿入状態をロックされた状態となり、手操作によっても引き抜きができないようにすることができる。図１５は、係合用突部３４と凹部４５の係止部分を断面で表している。
【００２９】
押圧ばね４２の付勢力はハートカムブロック２３を介してメモリーカードＣにも伝達されるので、メモリーカードＣは側片部分４側に押し付けられることとなる。したがって、側片部分４側に設けられている検知スイッチ１８や、ライトプロテクトスイッチ１９との間に隙間などを生じてスイッチ動作が不安定になるのを防止している。
【００３０】
次に、図１６、１７は、上記のメモリーカードＣを、プッシュ／プッシュ形式のカード排出機構によって抜き出し方向へ排出した時の図である。ハートカムブロック２３はばね手段２４によって前方に向かって移動してメモリーカードＣを排出する。移動したハートカムブロック２３の後端部側の突部３１ｂがガイド溝３９の中間部分３９ｃに位置し、前端部側の突部３１ａはガイド溝３９の前端部分３９ａに位置することとなる。この結果、ハートカムブロック２３の本体部分２８は、前端部側を最も外側に偏位させた状態に旋回した姿勢に制御される。したがって、係合用突部３４は、メモリーカードＣの側壁よりも外側に移動、退避することとなって、凹部４５との係止によるロック状態は解除され、メモリーカードＣを引っ掛かりなく抜き出すことができる。
【００３１】
前記において、ハートカムブロック２３の本体部分２８の下面３０に設けた突部３１ａ、３１ｂと、ハウジング底壁３７に形成したガイド溝３９の係合構造としたガイド手段の部分は、図１８、１９に示したように変更することもできる。即ち、ハウジング底壁３７にガイドレール４７を設ける一方、本体部分２８の下面３０の内側に沿って係合段部４８を設けた構成のガイド手段である。ガイドレール４７は、シェル頂壁３８に形成されているガイド溝３９の前端部分３９ａの内縁、傾斜縁４０、中間部分３９ｃの内縁および後端部分３９ｂの内縁に合致させた屈曲側壁４７ａが形成される。このようにすることで、ハウジング底壁３７のガイド溝３９を形成することによる強度低下を避けることができる。
【００３２】
なお、ハウジング底壁３７は、シェルカバー２の側壁１３から延長したシェル底壁に代えることも考えられる。また、シェル頂壁３８に代えて、絶縁ハウジング１の側片部分５にハウジング底壁３７と対向させてハウジング頂壁を設けることも考えられる。もっとも、カード排出機構を構成するハートカムブロック２３などの部材を装着する点や、コネクタの厚さを薄型化する点で、実施形態のようにハウジング底壁３７とシェル頂壁３８を対向させるのが最も望ましいと言える。
【００３３】
図２０乃至図２２は、ハートカムブロック２３に設けられる係合用突部３４の変形例である。図２０は断面をドーム型とした係合用突部３４ａであり、図２１は断面を山形とした係合用突部３４ｂであり、図２２はフック形状の係合用突部３４ｃである。
【００３４】
ガイド溝３９は図２３のガイド溝４９のような形状にすることも可能である。溝幅が全長に亘ってハートカムブロック２３側の突部３１ａ、３１ｂの幅にほぼ等しくされている。ハートカムブロック２３が後退した時には、前端部側の突部３１ａが内寄りの後端部分４９ｂに移動して、係合用突部３４がカード受入部分１７側に確実に突出するようにする。ハートカムブロック２３が前進した時は、先の実施形態と同様で、突部３１ａは外寄りの前端部分４９ａに移動して、係合用突部３４が確実に退避するようにする。
【００３５】
なお、前記のメモリーカードＣの挿入に当たっては、カードの上下（天地）を反対にした誤挿入と、前後を反対にした誤挿入が想定される。上下を反対にした誤挿入は、絶縁ハウジング１の側片部分４、５の内面上部に沿ってストッパ突条５０を設ける（図１５、１７等を参照）と共に、メモリーカードＣ側は、図１３に表れているように、上側の幅を下側の幅より狭くすることで防止している。幅広の下側を上にして挿入するとストッパ突条５０に当たって挿入ができないようにしている。
【００３６】
上記のような誤挿入防止構造によっては、メモリーカードＣの前後を反対にした誤挿入が防止できない問題点がある。メモリーカードＣの前後を反対にして挿入してカードの端部が端子６のコンタクト片７の臨んでいる部分まで到達するおそれがあるのである。コンタクト片７がカードの端部によって変形されたり破損してしまうのである。
【００３７】
このような重大な誤挿入を防止する為に、前記の実施形態では、図１、３に示されているように、シェルカバー２の本体部分９からカード受入部分１７にストッパタブ５１が設けられている。シェルカバー２の本体部分９には、端子６のコンタクト片７と対応するようにして窓孔５２が打ち抜き形成してあり、最も前方に位置している窓孔５２の打ち抜き部分の一部を本体部分９の下側に垂下するように残してストッパタブ５１が形成されている。
【００３８】
このようなストッパタブ５１を設けることによって、メモリーカードＣを、前後を反対にして挿入した場合には、その前端がストッパタブ５１に係合してそれ以上の挿入が停止されるようにしている。この結果、カードの前端が端子６のコンタクト片７の臨んでいる部分までは到達できないこととなって、コンタクト片の変形、破損を未然に防いでいるのである。
【００３９】
尚、上記の実施例ではカードとしてメモリーカードの例を示したが、本発明は、メモリーカード以外のＩＣカード等の使用にも適用できるものである。
【００４０】
【発明の効果】
以上に説明の通り、この発明によれば、プッシュ／プッシュ形式のカード排出機構を構成したハートカムブロックに係合用突部を設けて、これをカードの側面の凹部に係合させてカードの抜け出しを防止したので、部品点数の増大、コネクタの大型、複雑化を避けた上で、挿入したカードを完全にロックできる構造のカード用コネクタを提供することができる。
【００４１】
請求項２の発明によれば、更に、ハートカムブロックの係合用突部をばね手段によってカード側の凹部に付勢して係合するようにしたので、前記ばね手段によってカードが、カード排出機構と反対側の側片部分に付勢され、この側片部分に設けられる各種スイッチ機構の動作を安定させることができる効果もある。
【００４２】
請求項３の発明によれば、カードを挿入した時には、ハートカムブロックの係合用突部をカード受入部分側に強制的に突出させて退避ができない状態となるので、カードの挿入状態のロックをより確実にすることができる。
【００４３】
また、請求項４の発明によれば、ハートカムブロックの上面と下面に設けた突部が係合するガイド溝が、絶縁ハウジングとシェルカバーの別々の部材に形成された構造であるので、ハートカムブロックの組み込み、ひいては、プッシュ／プッシュ形式のカード排出機構の組み込みが容易にできる効果がある。また、コネクタの薄型化にも寄与することができる。
【００４４】
最後に、請求項５の発明によれば、更に、絶縁ハウジングに形成されるハウジング底壁の強度低下を避けると共に、ハートカムブロックの前進および後退の移動を円滑にし、カード排出機構の動作を安定にする効果がある。
【図面の簡単な説明】
【図１】  この発明の実施形態のカード用コネクタの平面図である。
【図２】  同じくカード用コネクタの正面図である。
【図３】  同じくカード用コネクタの右側面図である。
【図４】  同じくカード用コネクタの背面図である。
【図５】  同じくカード用コネクタの左側面図である。
【図６】  実施形態のハートカムブロックの平面図である。
【図７】  同じくハートカムブロックの正面図である。
【図８】  同じくハートカムブロックの右側面図である。
【図９】  同じくハートカムブロックの背面図である。
【図１０】  同じくハートカムブロックの左側面図である。
【図１１】  実施形態のガイド溝のみを拡大して示した平面図である。
【図１２】  メモリーカードを挿入した状態のカード用コネクタの断面図である。
【図１３】  カード用コネクタに挿入される第１カードの斜視図である。
【図１４】  メモリーカードを挿入した時のハートカムブロックの動作を説明する一部拡大平面図である。
【図１５】  同じくハートカムブロックの係合用突部の部分の一部拡大断面図である。
【図１６】  メモリーカードを排出した時のハートカムブロックの動作を説明する一部拡大平面図である。
【図１７】  同じくハートカムブロックの係合用突部の部分の一部拡大断面図である。
【図１８】  ハウジング底壁にガイドレールを設けた実施形態の絶縁ハウジングの一部拡大平面図である。
【図１９】  ハウジング底壁にガイドレールを設けた実施形態の、図１５に対応する一部拡大断面図である。
【図２０】  係合用突部を他の形態としたハートカムブロックの概略平面図である。
【図２１】  係合用突部を更に他の形態としたハートカムブロックの概略平面図である。
【図２２】  係合用突部を更に別の形態としたハートカムブロックの概略平面図である。
【図２３】  ガイド溝の他の実施形態を説明する図である。
【符号の説明】
Ｃ          メモリーカード
１          絶縁ハウジング
２          シェルカバー
６          端子
１７ カード受入部分
２３        ハートカムブロック
２５ カム溝
２８ 本体部分
３１ａ、３１ｂ      突部
３３ カード突き当て部
３４ 係合用突部
３９        ガイド溝
４２        押圧ばね
４５        凹部
４７        ガイドレール
５１        ストッパタブ
５２        窓孔
【図１】
0003650881.tif 000002
【図２】
0003650881.tif 000003
【図３】
0003650881.tif 000004
【図４】
0003650881.tif 000005
【図５】
0003650881.tif 000006
【図６】
0003650881.tif 000007
【図７】
0003650881.tif 000008
【図８】
0003650881.tif 000009
【図９】
0003650881.tif 000010
【図１０】
0003650881.tif 000011
【図１１】
0003650881.tif 000012
【図１２】
0003650881.tif 000013
【図１３】
0003650881.tif 000014
【図１４】
0003650881.tif 000015
【図１５】
0003650881.tif 000016
【図１６】
0003650881.tif 000017
【図１７】
0003650881.tif 000018
【図１８】
0003650881.tif 000019
【図１９】
0003650881.tif 000020
【図２０】
0003650881.tif 000021
【図２１】
0003650881.tif 000022
【図２２】
0003650881.tif 000023
【図２３】
0003650881.tif 000024